(57)【要約】【課題】  浴槽内の湯水が沸き上がり完了状態になった旨をユーザへより確実に知らせることができる風呂給湯システムを提供する。【解決手段】  浴槽内の湯水を所定の風呂設定温度に沸き上げた状態である沸き上がり完了状態にする風呂沸き上げ運転を実施可能であり、ユーザ所有の携帯端末６と通信網を介して通信可能に構成された給湯器１と、給湯器１と通信可能に構成され給湯器１を遠隔操作するためのリモコン７，８と、浴室内に人が存在するか否かを検出する人感センサ８０と、を備え、給湯器１は、風呂沸き上げ運転の実施によって最初に沸き上がり完了状態になった時点において、人感センサ８０により人の存在が検出されていない場合には、沸き上がり完了情報を、最初に沸き上がり完了状態になった時点から定期的にリモコン７，８と携帯端末６とへ送信する送信処理を行い、人の存在が検出されている場合には、送信処理を行わないよう構成されている。【選択図】  図１
2019203635.tif 000002
【特許請求の範囲】
【請求項１】
浴室内に設けられた浴槽内の湯水を所定の風呂設定温度に沸き上げた状態である沸き上がり完了状態にする風呂沸き上げ運転を実施可能であり、ユーザ所有の携帯端末と通信網を介して通信可能に構成された給湯器と、
前記給湯器と通信可能に構成され前記給湯器を遠隔操作するためのリモコンと、
前記浴室内に人が存在するか否かを検出する人感センサと、
を備え、
前記給湯器は、
前記風呂沸き上げ運転の実施によって最初に前記沸き上がり完了状態になった時点において、前記人感センサにより人の存在が検出されていない場合には、前記リモコンと前記携帯端末とに対して前記沸き上がり完了状態になった旨をユーザへ報知させるための沸き上がり完了情報を、前記最初に沸き上がり完了状態になった時点から定期的に前記リモコンと前記携帯端末とへ送信する送信処理を行い、前記人感センサにより人の存在が検出されている場合には、前記送信処理を行わないよう構成された、
風呂給湯システム。
【請求項２】
前記給湯器は、
前記沸き上がり完了情報に対するユーザの応答操作に基づく報知取消通知を前記リモコン及び前記携帯端末のいずれかから受信したとき以降は、前記送信処理を終了するよう構成された、
請求項１に記載の風呂給湯システム。
【請求項３】
前記給湯器は、
前記最初に沸き上がり完了状態になった時点より後で前記人感センサにより人の存在が検出されたとき以降は、前記送信処理を終了するよう構成された、
請求項１または２に記載の風呂給湯システム。
【請求項４】
前記給湯器は、
前記風呂沸き上げ運転の実施によって前記最初に沸き上がり完了状態になった時点において前記人感センサにより人の存在が検出されている場合には、前記沸き上がり完了情報を前記リモコンと前記携帯端末とのうち少なくとも前記リモコンへ１回のみ送信するよう構成された、
請求項１〜３のいずれかに記載の風呂給湯システム。
【請求項５】
前記給湯器は、
前記最初に沸き上がり完了状態になった時点から予め設定された保温期間の間において、前記浴槽内の湯水の温度が前記風呂設定温度を維持するように前記浴槽内の湯水の追焚きを間欠的に行うよう構成されており、
前記保温期間の経過後は、前記送信処理を終了するよう構成された、
請求項１〜４のいずれかに記載の風呂給湯システム。
【発明の詳細な説明】
【技術分野】
【０００１】
本発明は、浴槽への湯張りおよび追焚き機能を有する風呂給湯システムに関する。
【背景技術】
【０００２】
従来、風呂給湯システムにおいては、浴槽への湯張りおよび沸き上げ運転が完了すると、入浴可能な状態になった旨を風呂給湯システムのリモコン等によって報知していた。
【０００３】
例えば、特許文献１には、風呂の沸き上がりの予告と、沸き上がり完了の報知とをリモコンから音声で出力することが記載されている。
【０００４】
また、特許文献２には、追焚き運転を行う際、沸き上がり完了報知をリモコン等で行うことが記載されている。
【０００５】
また、特許文献３には、携帯電話等の情報端末から給湯器に浴槽への湯張りの開始指令を送信し、湯張りが完了すると、その情報を給湯器から情報端末へ送信することが記載されている。
【先行技術文献】
【特許文献】
【０００６】
【特許文献１】特許３１１９３２７号公報
【特許文献２】特開２００１−１２７９７号公報
【特許文献３】特開２００４−１１９７３号公報
【発明の概要】
【発明が解決しようとする課題】
【０００７】
上記のように、沸き上がり完了等の報知を行うことにより、ユーザは設定温度での入浴が可能な状態になったことを認識できる。しかしながら、特許文献１，２の場合にはユーザがリモコン等による報知を聞き取ることができる範囲に居なかった場合において、また、特許文献３の場合にはユーザが携帯電話等の情報端末を携帯していなかった場合において、ユーザが報知に気づくことができないという問題がある。
【０００８】
本発明は上記のような課題を解決するためになされたもので、浴槽内の湯水が沸き上がり完了状態になった旨をユーザへより確実に知らせることができる風呂給湯システムを提供することを目的としている。
【課題を解決するための手段】
【０００９】
上記目的を達成するために、本発明のある態様に係る風呂給湯システムは、浴室内に設けられた浴槽内の湯水を所定の風呂設定温度に沸き上げた状態である沸き上がり完了状態にする風呂沸き上げ運転を実施可能であり、ユーザ所有の携帯端末と通信網を介して通信可能に構成された給湯器と、前記給湯器と通信可能に構成され前記給湯器を遠隔操作するためのリモコンと、前記浴室内に人が存在するか否かを検出する人感センサと、を備え、前記給湯器は、前記風呂沸き上げ運転の実施によって最初に前記沸き上がり完了状態になった時点において、前記人感センサにより人の存在が検出されていない場合には、前記リモコンと前記携帯端末とに対して前記沸き上がり完了状態になった旨をユーザへ報知させるための沸き上がり完了情報を、前記最初に沸き上がり完了状態になった時点から定期的に前記リモコンと前記携帯端末とへ送信する送信処理を行い、前記人感センサにより人の存在が検出されている場合には、前記送信処理を行わないよう構成されている。
【００１０】
この構成によれば、最初に沸き上がり完了状態になった時点において、浴室内に人が存在しない場合には、沸き上がり完了情報がリモコンと携帯端末との両方へ定期的に繰り返し送信される。よって、リモコンと携帯端末との両方からユーザに繰り返し報知されるので、沸き上がり完了状態になった旨をユーザへより確実に知らせることができる。また、浴室内に人が存在する場合には送信処理を行わないことで、不要な報知の繰り返しによるユーザの不快感を無くすことができる。
【００１１】
前記給湯器は、前記沸き上がり完了情報に対するユーザの応答操作に基づく報知取消通知を前記リモコン及び前記携帯端末のいずれかから受信したとき以降は、前記送信処理を終了するよう構成されていてもよい。
【００１２】
この構成によれば、給湯器が報知取消通知を受信したとき以降は、送信処理が終了され、報知が行われなくなるので、不要な報知の繰り返しによるユーザの不快感を無くすことができる。ここで、報知取消通知は、ユーザがリモコン及び携帯端末のいずれかを操作して送信できるので、使い勝手がよい。
【００１３】
前記給湯器は、前記最初に沸き上がり完了状態になった時点より後で前記人感センサにより人の存在が検出されたとき以降は、前記送信処理を終了するよう構成されていてもよい。
【００１４】
この構成によれば、人感センサにより浴室内に人の存在が検出されたとき以降は、送信処理が終了され、報知が行われなくなるので、不要な報知の繰り返しによるユーザの不快感を無くすことができる。ここで、浴室内に人の存在が検出されることにより送信処理が終了されるので、送信処理を終了するためのユーザの操作を省略できる。
【００１５】
前記給湯器は、前記風呂沸き上げ運転の実施によって前記最初に沸き上がり完了状態になった時点において前記人感センサにより人の存在が検出されている場合には、前記沸き上がり完了情報を前記リモコンと前記携帯端末とのうち少なくとも前記リモコンへ１回のみ送信するよう構成されていてもよい。
【００１６】
この構成によれば、最初に沸き上がり完了状態になった時点において入浴者（浴室内に人）がいる場合に、沸き上がり完了情報を少なくともリモコンへ１回のみ送信することで、沸き上がり完了状態になったことをユーザに知らせることができる。
【００１７】
前記給湯器は、前記最初に沸き上がり完了状態になった時点から予め設定された保温期間の間において、前記浴槽内の湯水の温度が前記風呂設定温度を維持するように前記浴槽内の湯水の追焚きを間欠的に行うよう構成されており、前記保温期間の経過後は、前記送信処理を終了するよう構成されていてもよい。
【００１８】
この構成によれば、ユーザが沸き上がり完了状態になった旨の報知を認識して、すぐに入浴すれば、適温（風呂設定温度）で入浴することができる。
【発明の効果】
【００１９】
本発明は、以上に説明した構成を有し、浴槽内の湯水が沸き上がり完了状態になった旨をユーザへより確実に知らせることができる風呂給湯システムを提供することができるという効果を奏する。
【図面の簡単な説明】
【００２０】
【図１】図１は、第１実施形態の風呂給湯システム及びそれに用いられる通信システムの概略構成図である。
【図２】図２は、第１実施形態の風呂給湯システムが風呂沸き上げ運転を実施する際の動作の一例を示すフローチャートである。
【図３】図３は、第２実施形態の風呂給湯システム及びそれに用いられる通信システムの概略構成図である。
【図４】図４は、給湯器の一例を示す作動原理図である。
【発明を実施するための形態】
【００２１】
以下、好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００２２】
（第１実施形態）
図１は、第１実施形態の風呂給湯システム及びそれに用いられる通信システムの概略構成図である。
本実施形態の風呂給湯システムは、給湯器１と、給湯器１を遠隔操作するためのリモコン（リモートコントローラ）７，８とを備えている。
【００２３】
図４は、給湯器１の一例を示す作動原理図である。なお、給湯器１は図４に示すものに限られるものではない。
図４に示す給湯器１は、給湯機能、風呂注湯機能及び追焚き機能を有する構成である。給湯器１は、外部配管５１，５２を介して浴槽１０１に取り付けられた循環金具１０２と接続されている。浴室外リモコン７は、浴室１００外の台所等に設置され、浴室リモコン８は、浴室１００内に設置されている。
【００２４】
給湯器１は、筐体１０の内部に、給湯回路１１と、浴槽１０１の湯水を追焚き加熱する追焚き循環回路２１と、給湯回路１１と追焚き循環回路２１とを接続する風呂注湯流路３０と、バーナ８ａ、８ｂと、バーナ８ａ、８ｂへ燃焼用の空気を供給する送風機９と、コントローラ１ａなどを備えている。
【００２５】
給湯回路１１は、給湯用熱交換器１２と、外部の給水源から水を導入して給湯用熱交換器１２に至る入水路１３と、給湯用熱交換器１２で加熱された湯水を外部へ供給する給湯路１４と、入水路１３と給湯路１４とをつなぐバイパス流路１５とを有している。給湯路１４を流れる湯水は、外部配管を介してカラン等の給湯栓１０３へ供給される。
【００２６】
さらに、給湯回路１１は、バイパス流路１５を通過する流量を調整するバイパス流量調整弁１６と、給湯路１４を流れる湯水の流量の上限値（給湯流量の上限値）を調整する給湯流量調整弁１７と、入水路１３に設けられた流量センサ１８とを有している。なお、給湯回路１１に設けられる温度センサ等の流量センサ１８以外のセンサ類は省略している。
【００２７】
追焚き循環回路２１は、追焚き用熱交換器２２と、外部配管５１を介して浴槽１０１に接続される戻り流路２３と、外部配管５２を介して浴槽１０１に接続される往き流路２４とを有している。戻り流路２３には、循環ポンプ２５と、圧力センサで構成され浴槽１０１内の水位を検知する水位センサ２６と、水流の有無を検出する水流スイッチ２７と、浴槽１０１から戻ってくる浴槽水の温度を検出する風呂戻り温度センサ２８とが設けられている。往き流路２４には、浴槽１０１へ送られる浴槽水の温度を検出する風呂往き温度センサ２９が設けられている。
【００２８】
また、給湯路１４と戻り流路２３とが、風呂注湯流路３０で接続され、給湯路１４の湯が風呂注湯流路３０及び追焚き循環回路２１等を通して浴槽１０１に注湯可能とされている。風呂注湯流路３０には注湯弁３１が設けられ、注湯弁３１を開くことにより、所定の温度に調整された湯が風呂注湯流路３０から追焚き循環回路２１を通して浴槽１０１へ注湯される。
【００２９】
コントローラ１ａは、ＣＰＵ、ＲＯＭおよびＲＡＭ等を備え、例えば、マイクロコントローラ等で構成されている。コントローラ１ａには、バーナ８ａ、８ｂ、送風機９、バイパス流量調整弁１６、給湯流量調整弁１７、注湯弁３１、循環ポンプ２５などを制御するための信号経路が接続されている。また、コントローラ１ａには、流量センサ１８、水位センサ２６、水流スイッチ２７、風呂戻り温度センサ２８及び風呂往き温度センサ２９などのセンサ類の出力信号を入力するための信号経路が接続されている。コントローラ１ａでは、例えば、ＣＰＵがＲＯＭに記憶された制御プログラムをＲＡＭに読み出し実行することで給湯器１の各種制御を実行することができる。なお、コントローラ１ａは、集中制御する単独の制御装置によって構成されていてもよいし、互いに協働して分散制御する複数の制御装置によって構成されていてもよい。
【００３０】
また、コントローラ１ａは、浴室外リモコン７及び浴室リモコン８と通信可能に接続されており、両者との間で双方向通信が可能である。これらのリモコン７，８は、操作部７３，８３を備え、ユーザが操作部７３，８３を操作して、給湯器１の各種の運転操作等を行うことができるとともに、給湯設定温度及び風呂設定温度や、浴槽１０１内の湯水の設定水位（風呂設定水位）等の設定及び変更等を行うことができる。
【００３１】
次に、この給湯器１の基本的な動作の概略について説明する。この給湯器１には、給湯運転、風呂注湯（湯張り）運転、追焚き運転、風呂自動運転等の複数の運転モードがある。各運転モードにおける給湯器１の動作は、コントローラ１ａの制御によって実現される。
【００３２】
まず、給湯運転は、給湯機能を実行する運転モードであり、ユーザが例えば給湯栓１０３の開操作による給湯要求に応じて、所定の給湯設定温度（例えば摂氏４０度）の湯を給湯栓１０３から出湯させることができる運転モードである。具体的には、上記給湯要求によって、入水路１３への入水流量が最低作動流量以上になったことが流量センサ１８により検出されれば、コントローラ１ａは、バーナ８ａ及び送風機９を作動制御し、給湯路１４に出湯される出湯温度が所定温度になるように所定の燃焼量でバーナ８ａを燃焼させるようになっている。そして、給湯路１４に出湯させた湯と、バイパス流路１５を通して給湯路１４に分岐入水させた水とを混合させて温調させることにより、給湯栓１０３から給湯設定温度の湯が流出される。
【００３３】
次に、風呂注湯運転の概略について説明する。風呂注湯運転は、風呂注湯機能を実行する運転モードであり、ユーザによっていずれかのリモコン７，８の注湯運転スイッチがＯＮ操作されると、その操作信号がコントローラ１ａに入力されて、コントローラ１ａは、風呂注湯運転を開始し、注湯弁３１を開作動する。この開作動により機外からの給水圧を受けて入水路１３に対し入水される。この入水路１３への入水流量が最低作動流量以上になったことが流量センサ１８により検出されれば、コントローラ１ａは、バーナ８ａ及び送風機９を作動制御し、給湯路１４から所定の温度（例えば風呂設定温度）の湯が風呂注湯流路３０に供給され、さらに追焚き循環回路２１等を通して浴槽１０１に注がれる。コントローラ１ａは、水位センサ２６で検知される浴槽１０１内の水位が所定の風呂設定水位になると、風呂注湯運転を終了する。
【００３４】
次に、追焚き運転の概略について説明する。追焚き運転は、追焚き機能を実行する運転モードであり、ユーザによっていずれかのリモコン７，８の追焚き運転スイッチがＯＮ操作されると、その操作信号がコントローラ１ａに入力されて、コントローラ１ａは、追焚き運転を開始し、循環ポンプ２５、バーナ８ｂ及び送風機９を作動制御する。すると、循環ポンプ２５の作動により、浴槽１０１から戻り流路２３を通して取り出された浴槽水が、追焚き用熱交換器２２へ流入され、この追焚き用熱交換器２２で加熱された浴槽水が往き流路２４を通して浴槽１０１へ送られる。これにより、浴槽１０１内の湯を昇温させ、コントローラ１ａは、風呂戻り温度センサ２８で検出される浴槽１０１内の湯の温度が風呂設定温度になる（すなわち沸き上がり完了状態になる）と、追焚き運転を終了する。
【００３５】
次に、風呂自動運転の概略について説明する。風呂自動運転は、風呂注湯機能と追焚き機能とを実行する運転モードであり、ユーザによっていずれかのリモコン７，８の風呂自動運転スイッチがＯＮ操作されると、コントローラ１ａは、風呂自動運転を開始する。この風呂自動運転では、まず、前述の風呂注湯運転を実施して浴槽１０１に風呂設定水位まで湯張りする。引き続いて、追焚き運転を実施して風呂戻り温度センサ２８で検出される浴槽１０１内の湯の温度が風呂設定温度になる（すなわち沸き上がり完了状態になる）と、風呂自動運転を終了する。
【００３６】
なお、風呂自動運転を終了後に、所定の保温期間（例えば１〜４時間）が設定されている場合がある。この場合、コントローラ１ａは、保温期間の間、浴槽１０１内の湯水の温度を風呂設定温度に維持するように間欠的に追焚き運転を実施する。
【００３７】
また、この風呂給湯システムには、風呂自動運転の予約を行う風呂予約機能を備えている。この風呂予約機能は、ユーザが浴室外リモコン７の操作部７３を操作することによって、風呂自動運転の終了時刻を設定し、風呂自動運転を予約することができる。この予約がなされると、コントローラ１ａでは、設定された終了時刻に風呂自動運転を終了できるように、風呂自動運転を開始させる。
【００３８】
次に、図１に示すように、この風呂給湯システムに用いられる通信システムは、インターネット等の通信網４に接続されたコンピュータからなる管理サーバ５と、風呂給湯システムのユーザが所有しているスマートフォン等からなる携帯端末６とを備えている。管理サーバ５は、通信網４及びこの通信網４に接続されたルータ３を介して浴室外リモコン７と相互に通信を行うことができる。また、携帯端末６は、通信網４等を介して管理サーバ５と相互に通信を行うことができる。ルータ３及び携帯端末６は、風呂給湯システムが設置されている住宅の入居者（ユーザ）が所有しているものである。ルータ３は、ここでは無線ＬＡＮルータであり、浴室外リモコン７と無線で通信が行われるが、浴室外リモコン７と有線で接続されて通信が行われるものでもよい。
【００３９】
浴室外リモコン７は、通信部７１、制御部７２、操作部７３、液晶画面等を有する表示部７４、音声出力部７５、及び、無線通信部７６等を備えている。制御部７２は、例えば、ＣＰＵ及びメモリ（ＲＡＭ及びＲＯＭ等）を有するマイクロコントローラ等によって構成され、リモコン７全体の動作を制御する。リモコン７は、その通信部７１が給湯器１のコントローラ１ａ及び浴室リモコン８と通信可能に接続されており、両者との間で双方向通信が可能である。
【００４０】
ユーザが操作部７３を操作することにより、操作部７３から操作に応じた操作信号が制御部７２へ入力され、制御部７２から操作信号に応じた制御信号が通信部７１を介して給湯器１のコントローラ１ａへ送信されるよう構成されており、ユーザが給湯器１の運転操作や、給湯設定温度、風呂設定温度及び風呂設定水位等の設定及び変更等の操作を行うことができる。また、給湯器１のコントローラ１ａから給湯器１の運転状態等を示す情報が通信部７１へ入力され、制御部７２の制御によって表示部７４の画面に表示される。また、設定された給湯設定温度等も表示部７４の画面に表示することができる。また、音声出力部７５は、ブザー音や音声等を出力するためのスピーカを有し、制御部７２の制御によって音声等が出力される。
【００４１】
また、無線通信部７６は、ルータ３及び通信網４を介して管理サーバ５と通信を行うための、ルータ３との間の通信処理を行う。制御部７２は、給湯器１のコントローラ１ａから受信した情報のうち管理サーバ５へ送信する情報を無線通信部７６から送信させる。また、管理サーバ５から送信されて無線通信部７６で受信した情報のうちコントローラ１ａへ送信する情報を通信部７１から送信させる。
【００４２】
ここで、給湯器１のコントローラ１ａから管理サーバ５へ送信される情報としては、定期的（例えば１時間間隔）に送信される給湯器１の運転状態を示す運転状態情報、給湯器１の異常を示すエラー情報、後述の沸き上がり完了情報等がある。
【００４３】
管理サーバ５は、給湯器１のコントローラ１ａから浴室外リモコン７を介して送信されてきた情報を記憶している。なお、管理サーバ５は、通信網４に接続された複数のコンピュータで構成されていてもよい。すなわち、管理サーバ５は、その機能を分担して実行する複数のサーバで構成されていてもよい。
【００４４】
携帯端末６は、３Ｇ，４Ｇ（第３，第４世代）携帯電話網の基地局等を介して通信網４に接続可能である。この携帯端末６には、風呂給湯システム専用のアプリケーションプログラム（以下、「システム専用アプリ」という）がインストールされており、ユーザは、携帯端末６を操作して、システム専用アプリを起動させ、管理サーバ５等を介して給湯器１の遠隔操作及び状態確認などを行うことができる。携帯端末６は、タッチパネル付ディスプレイからなる表示部と、上記タッチパネルからなる操作部と、スピーカを有する音声出力部などを有している。
【００４５】
また、浴室リモコン８は、無線通信部７６を除いて浴室外リモコン７と同様の機能を備えるとともに、人感センサ８０を備えている。この人感センサ８０は、浴室１００内に人が存在するか否かを検出するためのものであり、例えば焦電型赤外線センサ、電波センサ等、人の存在を検知することができるものであればよい。また、人感センサ８０が浴室リモコン８とは別個に設けられてあってもよい。人感センサ８０の検出結果は、コントローラ１ａへ出力される。
【００４６】
本実施形態の風呂給湯システムでは、風呂沸き上げ運転を実施し、沸き上げ完了状態になると、沸き上げ完了状態である旨を、リモコン７，８及び携帯端末６でユーザに報知するよう構成されている。これについて、以下、詳細に説明する。
【００４７】
ここで、風呂沸き上げ運転とは、いずれかのリモコン７，８の風呂自動運転スイッチのＯＮ操作によって実施される風呂自動運転、風呂予約機能によって実施される風呂自動運転、及び、いずれかのリモコン７，８の追焚き運転スイッチのＯＮ操作によって実施される追焚き運転を含んでいる。すなわち、風呂沸き上げ運転は、浴槽内の湯水を所定の風呂設定温度に沸き上げた状態である沸き上がり完了状態にするための運転である。なお、風呂沸き上げ運転の開始操作（風呂自動運転の開始操作、風呂自動運転の予約操作、追焚き運転の開始操作）を、携帯端末６（システム専用アプリ）を用いて行うこともできる。
【００４８】
図２は、本実施形態の風呂給湯システムが風呂沸き上げ運転を実施する際の動作の一例を示すフローチャートである。この動作は、給湯器１のコントローラ１ａの制御によって実現される。
【００４９】
まず、ステップＳ１で、コントローラ１ａは、風呂沸き上げ運転（風呂自動運転または追焚き運転）を開始した後、ステップＳ２で、沸き上がり完了状態（最初の沸き上がり完了状態）になったか否かを判定する。このステップＳ２で、沸き上がり完了状態になったと判定すると、風呂沸き上げ運転を終了し、ステップＳ３へ進む。
【００５０】
ステップＳ３では、コントローラ１ａは、人感センサ８０の検出結果に基づいて浴室１００内に人が存在しないか否かを判定し、存在しない場合はステップＳ４へ進み、存在する場合はステップＳ８へ進む。
【００５１】
ステップＳ４では、コントローラ１ａは、リモコン７，８と携帯端末６とに対して沸き上がり完了状態になった旨を報知させるための情報である沸き上がり完了情報を送信する。ここで、携帯端末６への沸き上がり完了情報の送信は、浴室外リモコン７を介して行われる。すなわち、浴室外リモコン７は、コントローラ１ａから沸き上がり完了情報を受信すると、当該沸き上がり完了情報をルータ３、通信網４及び管理サーバ５へ送信し、さらに管理サーバ５から通信網４等を介して携帯端末６へ送信される。この際、管理サーバ５は、沸き上がり完了情報をシステム専用アプリを利用して携帯端末６へ送信する。携帯端末６（システム専用アプリ）では、沸き上がり完了情報を受信すると、沸き上がり完了状態になった旨（例えば「お風呂が沸きました」等）を、携帯端末６の表示部（ディスプレイ）に表示するとともに、携帯端末６の音声出力部（スピーカ）から音声で出力することによって、ユーザに報知する。
【００５２】
また、各リモコン７，８では、コントローラ１ａから沸き上がり完了情報を受信すると、沸き上がり完了状態になった旨を、各々の表示部７４，８４に表示するとともに、各々の音声出力部（７５）から音声で出力することによって、ユーザに報知する。
【００５３】
なお、リモコン７，８及び携帯端末６において、沸き上がり完了状態になった旨の表示部での表示は、後述の報知タイミングの間隔より短い所定時間（例えば、１〜２分間）の間行われる。
【００５４】
上記のステップＳ４は、後述のステップＳ５の判定がＮｏであり、かつ、ステップＳ６の判定がＮｏである間は、定期的に行われる。すなわち、ステップＳ７では、ステップＳ２で沸き上がり完了状態になったと判定された時点から所定時間間隔（例えば５〜１０分程度の間隔）のタイミングを報知タイミングとして、ステップＳ４で報知したタイミングの次の報知タイミングになったか否かを判定し、次の報知タイミングになると、ステップＳ４へ戻って報知処理を行うようにしている。
【００５５】
ステップＳ５で、コントローラ１ａは、リモコン７，８及び携帯端末６のいずれかから報知取消通知を受信したか否かを判定し、受信した場合には、図２における動作を終了する。
【００５６】
この報知取消通知は、リモコン７，８及び携帯端末６の各々において、ユーザによって報知取消操作が行われると、コントローラ１ａに対して送信される。ユーザは、ステップＳ４での報知によって、沸き上がり完了状態になったことを認識して、報知取消操作を行う。よって、報知取消通知は、沸き上がり完了情報に対するユーザの応答操作に基づいてリモコン７，８及び携帯端末６のいずれかから送信される情報であり、コントローラ１ａが報知取消通知を受信すると、それ以降の報知は行われない。
【００５７】
例えば、リモコン７，８の場合には、操作部７３，８３に報知取消スイッチが設けられており、ユーザが報知取消スイッチを押すことよって報知取消操作が行われる。なお、報知取消スイッチが他のスイッチと兼用されていてもよい。
【００５８】
また、携帯端末６の場合には、沸き上がり完了状態になった旨が表示部の画面に表示されたときに報知取消ボタンも表示され、この報知取消ボタンをタッチ操作することにより報知取消操作が行われる。この報知取消操作が行われると、報知取消通知が管理サーバ５へ送信され、さらに管理サーバ５から浴室外リモコン７へ送信されて、浴室外リモコン７からコントローラ１ａへ送信される。
【００５９】
また、ステップＳ６で、コントローラ１ａは、人感センサ８０の検出結果に基づいて浴室１００内に人が存在するか否かを判定し、存在した場合には、図２における動作を終了する。
【００６０】
前述のステップＳ３で浴室１００内に人が存在した場合には、ステップＳ８で、コントローラ１ａは、リモコン７，８に対して沸き上がり完了情報を送信して図２における動作を終了する。これにより、各リモコン７，８では、沸き上がり完了状態になった旨を、各々の表示部に表示するとともに、各々の音声出力部から音声で出力することによって、ユーザに報知する。この場合、沸き上がり完了状態になった旨の報知は１回のみ行われる。なお、ステップＳ８においても、ステップＳ４と同様、携帯端末６に対して沸き上がり完了情報を送信して、携帯端末６に沸き上がり完了状態になった旨を報知させるようにしてもよい。
【００６１】
なお、沸き上がり完了状態になった旨の定期的な報知（ステップＳ４の繰り返しによる報知）は、例えば、風呂自動運転を終了後に保温期間が設定されている場合、保温期間が経過するまでの間、ステップＳ５、Ｓ６の両方の判定結果がＮｏである限り実施し、保温期間の経過後は、実施しないようにしてもよい。この場合、ユーザが沸き上がり完了状態になった旨の報知を認識して、すぐに入浴すれば、適温（風呂設定温度）で入浴することができる。また、予め最大報知回数あるいは最長報知期間を決めておいて、これらを超えて報知しないように構成してもよい。
【００６２】
本実施形態では、最初に沸き上がり完了状態になった時点（ステップＳ２でＹｅｓの時点）において、浴室１００内に人が存在しない場合には、沸き上がり完了情報がリモコン７，８と携帯端末６との両方へ定期的に繰り返し送信される（ステップＳ４の繰り返し処理）。よって、リモコン７，８と携帯端末６との両方からユーザに繰り返し報知されるので、沸き上がり完了状態になった旨をユーザへより確実に知らせることができる。また、最初に沸き上がり完了状態になった時点において、浴室１００内に人が存在する場合には、ステップＳ４の繰り返し処理を行わないことで、不要な報知の繰り返しによるユーザの不快感を無くすことができる。
【００６３】
また、ステップＳ５でＹｅｓの場合のように、コントローラ１ａが報知取消通知を受信したとき以降は、ステップＳ４の繰り返し処理が終了され、報知が行われなくなるので、不要な報知の繰り返しによるユーザの不快感を無くすことができる。ここで、報知取消通知は、ユーザがリモコン７，８及び携帯端末６のいずれかを操作して送信できるので、使い勝手がよい。
【００６４】
また、ステップＳ６でＹｅｓの場合のように、人感センサ８０で浴室１００内に人の存在が検出されたとき以降は、ステップＳ４の繰り返し処理が終了され、報知が行われなくなるので、不要な報知の繰り返しによるユーザの不快感を無くすことができる。ここで、浴室１００内に人の存在が検出されることによりステップＳ４の繰り返し処理が終了されるので、その終了するためのユーザの操作を省略できる。
【００６５】
（第２実施形態）
図３は、第２実施形態の風呂給湯システム及びそれに用いられる通信システムの概略構成図である。ここでは、主に図１との相違点について説明する。
【００６６】
この図３の風呂給湯システムは、図１の浴室外リモコン７に代えて、浴室外リモコン７ａと給湯器専用の中継装置２とを備えている。
【００６７】
浴室外リモコン７ａは、図１の浴室外リモコン７から無線通信部７６を除いた構成であり、図１のリモコン７と同様、通信部７１、制御部７２、操作部７３、表示部７４及び音声出力部７５を備えている。
【００６８】
中継装置２は、給湯器１のコントローラ１ａ及びリモコン７ａ，８と通信可能に接続されており、これらとの間で双方向通信が可能である。また、中継装置２は、ルータ３及び通信網４を介して管理サーバ５と通信を行うための、ルータ３との間の通信処理を行う。中継装置２は、給湯器１のコントローラ１ａから受信した情報のうち管理サーバ５へ送信する情報をルータ３及び通信網４を介して管理サーバ５へ送信する。また、管理サーバ５から送信されてきた情報のうちコントローラ１ａへ送信する情報をコントローラ１ａへ送信する。
【００６９】
本実施形態の場合、給湯器１のコントローラ１ａは、沸き上がり完了情報をリモコン７ａ，８と携帯端末６とに対して送信するが、携帯端末６に対して送信される沸き上がり完了情報は、コントローラ１ａから中継装置２へ送信され、中継装置２からルータ３及び通信網４を介して管理サーバ５へ送信される。管理サーバ５は、沸き上がり完了情報を受信すると、第１実施形態の場合と同様にして、携帯端末６へ沸き上がり完了情報を送信する。また、携帯端末６において報知取消操作が行われると、報知取消通知が管理サーバ５へ送信され、さらに管理サーバ５から中継装置２へ送信されて、中継装置２からコントローラ１ａへ送信される。
【００７０】
前述の第１の実施形態の場合、図１の浴室外リモコン７が、図３の浴室外リモコン７ａの機能に加えて、中継装置２の機能を持つように構成されたものである。よって、第２実施形態においても、第１実施形態と同様の効果が得られる。
【００７１】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００７２】
本発明は、浴槽内の湯水が沸き上がり完了状態になった旨をユーザへより確実に知らせることができる風呂給湯システム等として有用である。
【符号の説明】
【００７３】
１  給湯器
４  通信網
６  携帯端末
７，７ａ  浴室外リモコン
８  浴室リモコン
８０  人感センサ
１００  浴室
１０１  浴槽
【図１】
2019203635.tif 000003
【図２】
2019203635.tif 000004
【図３】
2019203635.tif 000005
【図４】
2019203635.tif 000006